(57)【要約】【課題】電力需要者と電力供給元とがネットワークを介して接続されることなしに、電力の使用許否を決定することができる電力使用許否決定システムを提供すること。【解決手段】屋外５に設けられた電力量計２００の近傍又は内部に配置された設定装置２０は、送信手段２２により、認証コード設定手段２１が設定を受け付けた認証コードを切換制御装置１０に送信する。屋内６に設けられた分電盤１００に配置された切換制御装置１０は、記憶手段１２により、受信手段１１にて受信した認証コードを記憶する。切換制御装置１０は、照合手段１４により、入力手段１３に入力された認証コードと記憶手段１２に記憶された認証コードとの照合を行い、許否制御手段１５により、照合手段１４による認証コードの照合の結果に応じて、切換装置（ブレーカー１０１）による切り換えの許否を制御する。【選択図】図１
2010213475.tif 000002
【特許請求の範囲】
【請求項１】
屋内に設けられた分電盤に配置され、電力供給元からの電力の供給の可否の切り換えを行う切換装置と、前記分電盤に配置され、前記切換装置を制御する切換制御装置と、屋外に設けられた前記電力の使用量を計測する電力量計の近傍又は内部に配置され、前記切換制御装置で使用する認証コードを設定する設定装置とを備えた電力使用許否決定システムであって、
前記設定装置は、
前記認証コードの設定を受け付ける認証コード設定手段と、
前記認証コードを前記切換制御装置に送信する送信手段と、を備え、
前記切換制御装置は、
前記設定装置から前記認証コードを受信する受信手段と、
前記認証コードを記憶する記憶手段と、
認証コードの入力を受け付ける入力手段と、
前記入力手段に入力された認証コードと前記記憶手段に記憶された認証コードとの照合を行う照合手段と、
前記切換装置による前記切り換えの許否を制御する許否制御手段と、を備え、
前記送信手段は、前記認証コード設定手段が前記認証コードの設定を受け付けたことに応じて、前記切換制御装置に前記認証コードを送信し、
前記記憶手段は、前記受信手段が前記認証コードを受信したことに応じて、前記認証コードを記憶し、
前記許否制御手段は、前記照合が合致する場合に前記切換装置による前記切り換えを許可し、前記照合が合致しない場合及び前記記憶手段に前記認証コードが記憶されていない場合に前記切換装置による前記切り換えを許可しないことを特徴とする電力使用許否決定システム。
【請求項２】
前記切換制御装置は、
前記記憶手段に記憶された認証コードを消去する消去手段を更に備え、
前記認証コード設定手段は、前記認証コードの消去を受け付け、
前記送信手段は、前記認証コード設定手段が前記認証コードの消去を受け付けたことに応じて、前記認証コードを消去する消去信号を前記切換制御装置へ送信し、
前記消去手段は、前記受信手段が前記消去信号を受信したことに応じて、前記記憶手段に記憶された前記認証コードを消去することを特徴とする請求項１に記載の電力使用許否決定システム。
【請求項３】
前記記憶手段は、該記憶手段に前記認証コードが記憶されている場合には、前記受信手段が前記認証コードを受信したことに応じて、前記記憶手段に記憶された認証コードを前記受信手段が受信した前記認証コードに更新することを特徴とする請求項１又は２に記載の電力使用許否決定システム。
【発明の詳細な説明】
【技術分野】
【０００１】
本発明は、電力使用許否決定システムに関する。詳しくは、本発明は、屋内に設置された電力の供給の可否の切り換えを行う切換装置を制御することにより電力の使用許否を決定する電力使用許否決定システムに関する。
【背景技術】
【０００２】
一般に、転宅時の電力利用契約終了時に電力の供給を停止する方法には、電力量計を切断する方法、及び屋内ブレーカーを「切」にする方法がある。２つの方法のうち、次に入居する電力需要者の利便性、契約終了時における施工者の容易性等の点から、屋内ブレーカーを「切」にする方法が主流である。
【０００３】
電力利用契約が終了されたことにより、屋内ブレーカーが「切」にされている場合に、次に入居する電力需要者は、自身で屋内ブレーカーを「入」にすることにより電力を使用することができる。しかし、電力需要者が屋内ブレーカーを「入」にするだけで電力を使用することができるために、電力需要者が電力会社へ電気使用の契約をしないまま、その電力需要者が電力を無断で使用できてしまう場合があるという問題があった。
【０００４】
そこで、従来においては、エネルギー供給先（電力需要者等）とエネルギー供給元（電力供給元、例えば、電力会社）との間でエネルギー利用契約に係る認証手続きを行うエネルギー利用時の認証システムが提案されている（特許文献１）。
【０００５】
特許文献１で提案された認証システムは、エネルギー供給先に備えられ、エネルギー供給元からエネルギー供給先にエネルギーを供給するためのエネルギー供給源（屋内ブレーカー等）と、エネルギー供給先に備えられエネルギー供給の制御を行う認証装置と、エネルギー供給元に備えられエネルギー供給先毎のエネルギー利用契約を管理する管理サーバと、を備える。そして、この認証システムでは、認証装置に認証情報等が入力されると、入力された認証情報の正当性を管理サーバが認証し、管理サーバが認証結果に応じて送信する信号にてエネルギー供給先のエネルギー供給源を制御する。
【先行技術文献】
【特許文献】
【０００６】
【特許文献１】特開２００６−１７２３９６号公報
【発明の概要】
【発明が解決しようとする課題】
【０００７】
しかしながら、特許文献１で提案された認証システムでは、エネルギー供給先とエネルギー供給元とがネットワークを介して接続されていることが必要である。そのため、エネルギー供給先で電力の使用を開始する際に、ネットワーク機器障害等によりネットワークを介してエネルギー供給元に接続ができないと、エネルギー供給先とエネルギー供給元との間の認証手続きができず、エネルギー供給先は電力を使用することができないという問題点がある。
【０００８】
そこで、本発明は、電力需要者と電力供給元とがネットワークを介して接続されることなしに、電力の使用許否を決定することができる電力使用許否決定システムを提供することを目的とする。
【課題を解決するための手段】
【０００９】
（１）本発明の電力使用許否決定システムは、屋内に設けられた分電盤に配置され、電力供給元からの電力の供給の可否の切り換えを行う切換装置と、前記分電盤に配置され、前記切換装置を制御する切換制御装置と、屋外に設けられた前記電力の使用量を計測する電力量計の近傍又は内部に配置され、前記切換制御装置で使用する認証コードを設定する設定装置とを備えた電力使用許否決定システムであって、前記設定装置は、前記認証コードの設定を受け付ける認証コード設定手段と、前記認証コードを前記切換制御装置に送信する送信手段と、を備え、前記切換制御装置は、前記設定装置から前記認証コードを受信する受信手段と、前記認証コードを記憶する記憶手段と、認証コードの入力を受け付ける入力手段と、前記入力手段に入力された認証コードと前記記憶手段に記憶された認証コードとの照合を行う照合手段と、前記切換装置による前記切り換えの許否を制御する許否制御手段と、を備え、前記送信手段は、前記認証コード設定手段が前記認証コードの設定を受け付けたことに応じて、前記切換制御装置に前記認証コードを送信し、前記記憶手段は、前記受信手段が前記認証コードを受信したことに応じて、前記認証コードを記憶し、前記許否制御手段は、前記照合が合致する場合に前記切換装置による前記切り換えを許可し、前記照合が合致しない場合及び前記記憶手段に前記認証コードが記憶されていない場合に前記切換装置による前記切り換えを許可しないことを特徴とする電力使用許否決定システムに関する。
【００１０】
（１）の構成によれば、屋外に設けられた電力量計の近傍又は内部に配置された設定装置は、認証コード設定手段により、認証コードの設定を受け付け、送信手段により、認証コード設定手段により受け付けた認証コードを切換制御装置の受信手段に送信する。一方、屋内に設けられた分電盤に配置された切換制御装置は、受信手段により、設定装置の送信手段より認証コードを受信し、記憶手段により、受信手段にて受信した認証コードを記憶する。そして、切換制御装置は、入力手段により、認証コードの入力を受け付け、照合手段により、入力手段に入力された認証コードと記憶手段に記憶された認証コードとの照合を行い、許否制御手段により、照合が合致する場合に切換装置による電力供給元からの電力の供給の可否の切り換えを許可し、照合が合致しない場合及び記憶手段に認証コードが記憶されていない場合に切換装置による切り換えを許可せず、切換装置による切り換えの許否を制御する。
【００１１】
このようにすることで、屋外に設けられた設定装置、及び屋内に設けられた切換制御装置により、認証コードによる切換装置の制御を行うことができる。このため、電力需要者と電力供給元とがネットワークを介して接続されることなしに、電力の使用許否を決定することができる。
【００１２】
（２）前記切換制御装置は、前記記憶手段に記憶された認証コードを消去する消去手段を更に備え、前記認証コード設定手段は、前記認証コードの消去を受け付け、前記送信手段は、前記認証コード設定手段が前記認証コードの消去を受け付けたことに応じて、前記認証コードを消去する消去信号を前記切換制御装置へ送信し、前記消去手段は、前記受信手段が前記消去信号を受信したことに応じて、前記記憶手段に記憶された前記認証コードを消去することを特徴とする（１）に記載の電力使用許否決定システム。
【００１３】
（２）の構成によれば、送信手段により、認証コード設定手段が受け付けた認証コードの消去に基づく消去信号を切換制御装置へ送信し、消去手段により、受信手段が消去信号を受信したことに応じて、記憶手段に記憶された認証コードを消去する。このようにすることで、切換装置を制御する切換制御装置に使用する認証コードを、屋外にある設定装置から消去することができる。これにより、電力の供給を不可とすることができる。
【００１４】
（３）前記記憶手段は、該記憶手段に前記認証コードが記憶されている場合には、前記受信手段が前記認証コードを受信したことに応じて、前記記憶手段に記憶された認証コードを前記受信手段が受信した前記認証コードに更新することを特徴とする（１）又は（２）に記載の電力使用許否決定システム。
【００１５】
（３）の構成によれば、記憶手段に認証コードが記憶されている場合に、受信手段が認証コードを受信したことに応じて、記憶手段は、記憶している認証コードを受信手段が受信した認証コードに更新する。このようにすることで、切換装置を制御する切換制御装置に使用する認証コードを変更することができ、セキュリティを向上させることができる。
【発明の効果】
【００１６】
本発明によれば、電力需要者と電力供給元とがネットワークを介して接続されることなしに、電力の使用許否を決定することができる電力使用許否決定システムを提供することができる。
【図面の簡単な説明】
【００１７】
【図１】本発明の一実施形態に係る電力使用許否決定システム１の全体構成を示す図である。
【図２】本発明の一実施形態に係る認証コード設定処理のフローチャートである。
【図３】本発明の一実施形態に係る認証コード照合処理のフローチャートである。
【図４】本発明の一実施形態に係る認証コード消去処理のフローチャートである。
【発明を実施するための形態】
【００１８】
以下、本発明の電力使用許否決定システム１の好ましい一実施形態について、図面を参照しながら説明する。
【００１９】
図１は、本発明の一実施形態に係る電力使用許否決定システム１の全体構成を示す図である。電力使用許否決定システム１は、電力供給元（例えば、電力会社）からの電力供給の可否の切り換えを行う切換装置を制御し、需要者の電力使用の許否を決定する。電力使用許否決定システム１は、屋外５に設けられた電力量計２００と、屋外５の電力量計２００の内部に配置される設定装置２０と、屋内６に設けられた分電盤１００と、屋内６の分電盤１００に配置される切換制御装置１０及び屋内６の分電盤１００に配置される切換装置としてのブレーカー１０１と、を備える。なお、設定装置２０は、電力量計２００の近傍に配置されていてもよい。
【００２０】
設定装置２０を電力量計２００の近傍又はその内部に配置する理由は、電力供給元の者が設定装置２０を操作する際の便宜のためである。すなわち、電力供給元の者は、電力量計２００に記録された電力の使用量を読み取る検針の際に、ブレーカー１０１を制御する切換制御装置１０で使用する認証コードを、設定装置２０にて設定することができる。また、切換制御装置１０を分電盤１００に配置する理由は、電力を使用するために電力需要者（以下、単に需要者とする）が操作するブレーカー１０１の傍に配置することにより、需要者が戸惑うことなく切換制御装置１０を操作することができるようにするためである。
【００２１】
切換制御装置１０と設定装置２０とは、通信回線を介して接続され、双方間にてデータや信号の送受信を行う。また、切換制御装置１０とブレーカー１０１も、通信回線を介して接続され、双方間にてデータや信号の送受信を行う。通信回線として、例えば、電力線搬送通信技術を利用した電力線を用いることができる。
【００２２】
分電盤１００は、屋内６に設けられ、屋内６の各箇所に電気を供給するための設備である。分電盤１００は、屋内６への電気の供給を制御するスイッチの役割を果たすブレーカー１０１、電気設備を操作するためのスイッチ、計器、ヒューズ、端子類が集約されたヒューズ盤１０２等から構成される。
【００２３】
ブレーカー１０１は、分電盤１００に備えられたアンペアブレーカーのことである。ブレーカー１０１は電力量計２００と接続される。ブレーカー１０１には、ブレーカー１０１には電柱等から引き込まれた引込線（図示せず）と接続された電力量計２００を経て電力が供給される。ブレーカー１０１の前面には、操作ハンドル（図示せず）が備えられている。操作ハンドルを「入」側又は「切」側にすることにより電気回路を開閉し、電力供給元からの屋内６への電力供給の可否を制御することができる。
【００２４】
具体的には、ブレーカー１０１の操作ハンドルを「入」側にすると電気回路は閉じ、電力供給元からの屋内６へ電力が供給され、ブレーカー１０１の操作ハンドルを「切」側にすると電気回路は開き、電力供給元からの屋内６へ電力が供給されなくなる。なお、以下、操作ハンドルを「入」側にすることを、ブレーカー１０１を「入」にする、又は「入」に切り換えるという。操作ハンドルを「切」側にすることを、ブレーカー１０１を「切」にする、又は「切」に切り換えるという。
【００２５】
本発明の一実施形態に係るブレーカー１０１は、屋内６への電気の供給を制御するスイッチの役割を果たすもので、切換制御装置１０にて制御される。具体的には、切換制御装置１０によりブレーカー１０１の「入」「切」の切り換えが制御され、切換制御装置１０により切り換えが許可されると、ブレーカー１０１を「入」にすることが可能になる。
【００２６】
電力量計２００は、屋外５に設けられ、屋内６にて使用された電力の使用量を計測して記録する。
【００２７】
設定装置２０は、ブレーカー１０１を制御する切換制御装置１０で使用する認証コードを設定する装置である。ここで、認証コードとは、ブレーカー１０１の「入」「切」を切り換えるための一種のパスワードであり、英字、数字、記号、又はそれらの混合にて構成される。設定装置２０は、認証コード設定手段２１と、送信手段２２と、を備える。
【００２８】
認証コード設定手段２１は、設定装置２０の操作者から認証コードの設定、又は、認証コードの消去を受け付ける。認証コード設定手段２１は、具体的には、例えば、キーボードやテンキーである。認証コードは電力供給元が任意に決定し、認証コード設定手段２１がテンキーである場合には数字列である。ここで、認証コードの消去とは、切換制御装置１０の記憶手段１２に記憶している認証コードを消去することである。認証コード設定手段２１は、例えば、認証コード設定手段２１がテンキーである場合には、予め認証コードの消去の入力であると決められた所定の数字列が入力されたことに応じて、認証コードの消去を受け付ける。
【００２９】
送信手段２２は、認証コード設定手段２１が受け付けた認証コードを切換制御装置１０に送信する。また、送信手段２２は、認証コード設定手段２１が受け付けた認証コードの消去を、認証コード消去信号として切換制御装置１０の受信手段１１へ送信する。送信手段２２と受信手段１１との間の通信は、有線通信でもよく、無線通信でもよい。
【００３０】
このように、屋外５に設置された設定装置２０で、認証コードの設定ができることにより、屋内６にあるブレーカー１０１を制御する切換制御装置１０にて使用する認証コードの設定を電力供給元の者が容易に行うことができる。
【００３１】
切換制御装置１０は、ブレーカー１０１の「入」「切」の切り換えの制御を行い、また、ブレーカー１０１の入／切の制御に用いる認証コードの管理を行う。切換制御装置１０は、受信手段１１と、記憶手段１２と、入力手段１３と、照合手段１４と、許否制御手段１５と、消去手段１６と、を備える。
【００３２】
受信手段１１は、設定装置２０の送信手段２２から認証コードを受信し、記憶手段１２に認証コードを受け渡す。また、設定装置２０の送信手段２２から消去信号を受信し、消去手段１６に消去信号を受け渡す。
【００３３】
記憶手段１２は、受信手段１１にて認証コードを受信したことに応じて認証コードを記憶する。すなわち、記憶手段１２は、受信手段１１より認証コードを受け渡されたことに応じて認証コードを記憶する。また、既に、記憶手段１２が認証コードを記憶している場合には、記憶された認証コードを受信手段１１により受け渡された認証コードに更新する。記憶手段１２に記憶された認証コードは、後述する照合手段１４により、入力手段１３に入力された認証コードと照合を行う際に参照される。また、受信手段１１が消去信号を受信したことに応じて、記憶手段１２に記憶された認証コードは、後述する消去手段１６により消去される。
【００３４】
入力手段１３は、切換制御装置１０の操作者からブレーカー１０１の「入」「切」の切り換えの制御に用いる認証コードの入力を受け付ける。入力手段１３は、具体的には、例えば、キーボードやテンキーである。ここで、切換制御装置１０の操作者とは、屋内６にて電力を使用する需要者である。入力手段１３に入力する正しい認証コードは、需要者が電力供給元に電力使用の契約を行った際に、電力供給元から通知される。
【００３５】
照合手段１４は、入力手段１３にて需要者が入力した認証コードと、記憶手段１２に記憶されている認証コードと、が合致するか否かの照合を行う。そして、照合した結果を許否制御手段１５へ受け渡す。
【００３６】
また、照合手段１４は、照合した結果、照合が合致しない場合をカウントし、所定の回数連続して照合が合致しない場合には、入力手段１３に認証コード入力を受け付けないよう指示してもよい。
【００３７】
許否制御手段１５は、照合手段１４の照合結果に応じて、ブレーカー１０１の「入」「切」の切り換えの許否の制御を行う。具体的には、許否制御手段１５は、照合手段１４から照合が合致する旨の結果が受け渡されたことに応じて、ブレーカー１０１を「入」に切り換えることを許可する信号をブレーカー１０１に送信する。ブレーカー１０１が、ブレーカー１０１を「入」に切り換えることを許可する信号を受信した場合には、ブレーカー１０１のロックが解除され、需要者がブレーカー１０１を「入」にすることが可能になる。
【００３８】
ここで、ブレーカー１０１のロックとは、需要者によるブレーカー１０１の「入」「切」の操作が不可能な状態である。具体的には、ブレーカー１０１の操作ハンドルの操作が不可能な状態や、ブレーカー１０１の操作ハンドルを操作してもブレーカー１０１の「入」「切」が切り換わらない状態のことである。ブレーカー１０１は、設定装置２０の認証コード設定手段２１が認証コードを受け付けたことに応じて、ロックされる。詳細は後述する。
【００３９】
一方、許否制御手段１５は、照合手段１４から照合が合致しない旨の結果を受け渡された場合、又は、記憶手段１２に認証コードが記憶されていない場合に、ブレーカー１０１を「入」に切り換えることを許可しない信号をブレーカー１０１に送信する。ブレーカー１０１は、ブレーカー１０１を「入」に切り換えることを許可しない信号を受信した場合には、ブレーカー１０１のロックを解除しない。なお、許否制御手段１５は、照合手段１４から照合が合致しない旨の結果を受け渡された場合、又は、記憶手段１２に認証コードが記憶されていない場合に、ブレーカー１０１を「入」に切り換えることを許可しない信号をブレーカー１０１に送信しなくともよい。
【００４０】
このようにして、入力手段１３に正しい認証コードを入力しなければ、需要者はブレーカー１０１を「入」にすることはできない。すなわち、電力供給元と電力使用の契約を行わずに、正しい認証コードを取得しない需要者は、電力を使用することはできない。その結果、電力の無断使用を防止することができる。更に、電力の無断使用を防止することにより、電力の無断使用の調査の手間がかからなくなる。
【００４１】
消去手段１６は、受信手段１１から消去信号を受け渡されると、記憶手段１２に記憶されている認証コードを消去する。また、消去手段１６は、受信手段１１から消去信号を受け渡されると、ブレーカー１０１を「切」に切り換えブレーカー１０１をロックすることを指示する信号をブレーカー１０１に送信する。ブレーカー１０１は、ブレーカー１０１を「切」に切り換えブレーカー１０１をロックする信号を受信すると、ブレーカー１０１を「切」にし、ロックする。既に、ブレーカー１０１が「切」になっている場合には、ロックのみを行う。
【００４２】
このようにして、ブレーカー１０１をロックすることができることにより、電力利用契約の終了時に電力量計等の切断を行わなくとも、電力の無断使用を防ぐことができる。また、電力量計等の切断を行わないため、契約終了時における施工時間の短縮を図ることができる。
【００４３】
なお、切換制御装置１０に警告手段を備え、照合手段１４の照合結果に応じて、需要者に対し警告手段により警告を行ってもよい。具体的には、照合手段１４から照合が合致しない旨の結果を受け渡されたことに応じて、警告手段は、需要者にその旨の警告を行ってもよい。警告手段は、具体的には、スピーカや液晶ディスプレイ等であって、エラー音やエラーメッセージ等を用いて、需要者に認証コードが正しくないことを通知する。
【００４４】
図２は、本発明の一実施形態に係る認証コード設定処理のフローチャートである。
Ｓ１０：認証コード設定手段２１は、設定装置２０の操作者（電力供給元の者）からの認証コードの設定を受け付ける。
Ｓ１２：送信手段２２は、ステップＳ１０で受け付けた認証コードを切換制御装置１０の受信手段１１に送信する。
【００４５】
Ｓ１４：受信手段１１は、ステップＳ１２で送信された認証コードを受信し、記憶手段１２に受け渡す。
Ｓ１６：記憶手段１２は、ステップＳ１４で受け渡された認証コードを記憶する。
【００４６】
図３は、本発明の一実施形態に係る認証コード照合処理のフローチャートである。
Ｓ２０：入力手段１３は、切換制御装置１０の操作者（需要者）が入力した認証コードを受け付ける。
【００４７】
Ｓ２２：照合手段１４は、記憶手段１２から認証コードを取得する。
Ｓ２４：照合手段１４は、ステップＳ２０で受け付けた認証コードと、ステップＳ２２で取得した認証コードとが合致するか否かの照合を行う。
【００４８】
Ｓ２６：許否制御手段１５は、ステップＳ２４の結果、照合が合致した場合にはステップＳ２８へ処理を移し、照合が合致しない場合にはステップＳ３０へ処理を移す。なお、照合が合致しない場合に、ステップＳ３０の処理を行わなくともよい。
【００４９】
Ｓ２８：許否制御手段１５は、ブレーカー１０１に、「入」に切り換えることを許可する信号（許可信号）を送信する。
Ｓ３０：許否制御手段１５は、ブレーカー１０１を「入」に切り換えることを許可しない信号（不許可信号）を送信する。なお、照合が合致しない場合であって、需要者に対し警告を行う場合には、ステップＳ３０の前又は後に警告を行う。
【００５０】
Ｓ３２：ブレーカー１０１は、ステップＳ２８又はＳ３０で送信された信号を受信する。
Ｓ３４：ブレーカー１０１は、ステップＳ３２で受信した信号がブレーカー１０１を「入」に切り換えることを許可する信号（許可信号）であるか否かを判定する。判定した結果、ＹＥＳの場合にはステップＳ３６へ処理を移し、ＮＯの場合には処理を終了する。
Ｓ３６：ブレーカー１０１は、ロックを解除する。
【００５１】
図４は、本発明の一実施形態に係る認証コード消去処理のフローチャートである。
Ｓ４０：認証コード設定手段２１は、設定装置２０の操作者から入力された認証コードの消去を受け付ける。
Ｓ４２：送信手段２２は、ステップＳ４０で受け付けた認証コードの消去に基づいて、認証コード消去信号を切換制御装置１０の受信手段１１に送信する。
【００５２】
Ｓ４４：受信手段１１はステップＳ４２で送信された認証コード消去信号を受信し、消去手段１６に受け渡す。
Ｓ４６：消去手段１６は、ステップＳ４４で受け渡された認証コード消去信号に従って、記憶手段１２に記憶している認証コードを消去する。
Ｓ４８：消去手段１６は、ステップＳ４４で受信した認証コード消去信号に従って、ブレーカー１０１を「切」に切り換え、ロックすることを指示する信号（ロック信号）をブレーカー１０１に送信する。
【００５３】
Ｓ５０：ブレーカー１０１は、ステップＳ４８で送信されたロック信号を受信する。
Ｓ５２：ブレーカー１０１は、ブレーカー１０１を「切」に切り換え、ロックする。なお、既に、ブレーカー１０１が「切」になっている場合には、ロックのみを行う。
【００５４】
以上、本発明の実施形態について説明したが、本発明は前記実施形態に限定されるものではなく、本発明の目的を達成できる範囲での変形、改良等は本発明に含まれるものである。
【符号の説明】
【００５５】
１      電力使用許否決定システム
５      屋外
６      屋内
１０    切換制御装置
１１    受信手段
１２    記憶手段
１３    入力手段
１４    照合手段
１５    許否制御手段
２０    設定装置
２１    認証コード設定手段
２２    送信手段
１００  分電盤
１０１  ブレーカー
１０２  ヒューズ盤
２００  電力量計
【図１】
2010213475.tif 000003
【図２】
2010213475.tif 000004
【図３】
2010213475.tif 000005
【図４】
2010213475.tif 000006